(57)【要約】【課題】狭小の玄関ホールでも有害浮遊物質を除去できる空気清浄装置つきの収納部を容易に短時間で設置でき、玄関ホール空間の浮遊物質を効率よく除去或いは低減できる。【解決手段】玄関扉と天井部と床部と左右間仕切壁と内扉により構成した玄関ホールに空気清浄装置を収納した装置収納部を設けた玄関構造であって、装置収納部は、玄関ホールの上部位置に配設し、収納空間を複数に区画する棚板と、空気清浄装置の吹出口に対向する位置に間隙を設けた収納扉と、空気清浄装置の上部と前部を覆う共に前部に空気清浄装置の吹出口から吹き出す空気の吹出流路を設けた覆板とより構成し、しかも、収納部間の空気清浄装置は、吹出口からの空気が玄関ホール空間に上方から吹き降ろすように装置収納部に収納すると共に、覆板には空気清浄装置の吸気口に流通する空気の吸気流路を形成した。【選択図】図１
2017115319.tif 000002
【特許請求の範囲】
【請求項１】
玄関扉と天井部と床部と左右間仕切壁と内扉により構成した玄関ホールに空気清浄装置を収納した装置収納部を設けた玄関構造であって、装置収納部は、玄関ホールの上部位置に配設し、収納空間を複数に区画する棚板と、空気清浄装置の吹出口に対向する位置に間隙を設けた収納扉と、空気清浄装置の上部と前部を覆う共に前部に空気清浄装置の吹出口から吹き出す空気の吹出流路を設けた覆板とより構成し、しかも、収納部間の空気清浄装置は、吹出口からの空気が玄関ホール空間に上方から吹き降ろすように装置収納部に収納すると共に、覆板には空気清浄装置の吸気口に流通する空気の吸気流路を形成した
ことを特徴とする玄関構造。
【請求項２】
覆板の前部に吹出流路及び吸気流路を設けた
ことを特徴とする請求項１に記載の玄関構造。
【請求項３】
覆板の吹出流路の開口面積は空気清浄装置の吹出口の開口面積より大とした
ことを特徴とする請求項１または請求項２に記載の玄関構造。
【請求項４】
覆板の前部に複数の吸気流路を設けた
ことを特徴とする請求項２に記載の玄関構造。
【請求項５】
玄関ホールにカーテンを吊り下げて浄化空間と非浄化空間を区画する
ことを特徴とする請求項１から４の何れか１項に記載の玄関構造。
【発明の詳細な説明】
【技術分野】
【０００１】
この発明は、玄関構造に関する。
【背景技術】
【０００２】
従来よりマンション等の住宅の住人が屋外から帰宅した際には、カビや菌やウイルス等の粒子状物質を服や髪等に付着したまま玄関から室内に粒子状物質を運んでしまうことがあった。そのため、居間などの室内に空気清浄機を設置し、室内の空気を空気清浄機で清浄化して空間中の粒子状物質の浮遊量を低減することが行われているが、一般的な空気清浄機の性能では、マンション等の広い居住空間における空気の清浄とは多大の時間がかかり、また、清浄効果も希望する程にはならないのが現状であった。
【０００３】
そこで、屋外から帰宅した住人が居住空間に入る前、すなわち、玄関の閉空間で粒子状物質を除去或いは低減できれば、室内全体を空気清浄する必要がないという考え方が存在する。例えば、特許文献１に示されるように、玄関ホールに有害粒子除去装置を設けて、玄関から侵入する粒子状物質を除去する技術がある。
特許文献１に示された浮遊物質除去装置は、玄関ホールの床下空間に設置して吸込口を床面に設け、土間と玄関廊下との境の段差部に吹出口を設けて玄関から居住空間への通路の境において下方から浮遊物質を吸引除去し、居住空間への持ち込みを防止せんとするものであった。
【先行技術文献】
【特許文献】
【０００４】
【特許文献１】特開２００９−２３６３８６号公報
【発明の概要】
【発明が解決しようとする課題】
【０００５】
しかしながら、このような浮遊物質除去装置を設置するためには、玄関ホールの床下空間に同装置を設置するため玄関ホールの一部が有効に使用できない欠点があり、更には、浮遊物質除去装置には、浮遊物質を吸引しそれを屋外に排出するためのダクトを連通接続しなければならず、玄関空間の美感を損ない、かかるダクト構造を設置する作業も煩雑で工費も高くつく等の欠点があった。また、マンションなどの集合住宅においては、玄関から居住空間への連通構造の設計上、玄関に床下空間を形成できない場合もあり、この場合は浮遊物質除去装置を設置する空間がないため玄関で浮遊物質を除去する思想も実行できない。
【０００６】
この発明では、狭小の玄関ホールでも有害浮遊物質を除去できる空気清浄装置つきの収納部を容易に短時間で設置でき、玄関ホール空間の浮遊物質を効率よく除去或いは低減できる玄関構造を提供するものである。
【課題を解決するための手段】
【０００７】
請求項１の発明は、玄関扉と天井部と床部と左右間仕切壁と内扉により構成した玄関ホールに空気清浄装置を収納した装置収納部を設けた玄関構造であって、装置収納部は、玄関ホールの上部位置に配設し、収納空間を複数に区画する棚板と、空気清浄装置の吹出口に対向する位置に間隙を設けた収納扉と、空気清浄装置の上部と前部を覆う共に前部に空気清浄装置の吹出口から吹き出す空気の吹出流路を設けた覆板とより構成し、しかも、収納部間の空気清浄装置は、吹出口からの空気が玄関ホール空間に上方から吹き降ろすように装置収納部に収納すると共に、覆板には空気清浄装置の吸気口に流通する空気の吸気流路を形成した玄関構造を提供せんとする。
【０００８】
請求項２の発明は、覆板の前部に吹出流路及び吸気流路を設けたことを特徴とする。
【０００９】
請求項３の発明は、覆板の吹出流路の開口面積は空気清浄装置の吹出口の開口面積より大としたことを特徴とする。
【００１０】
請求項４の発明は、覆板の前部に複数の吸気流路を設けたことを特徴とする。
【００１１】
請求項５の発明は、玄関ホールにカーテンを吊り下げて浄化空間と非浄化空間を区画することを特徴とする。
【発明の効果】
【００１２】
請求項１の発明によれば、玄関ホールにおいて、最も有害浮遊物質を除去しやい位置にあり、しかも、帰宅した居住人の玄関での立ち姿の状態で、浮遊物質付着位置を狙って集中的に空気清浄することができる効果があるため居住空間に進入する前に帰宅住人の身辺から有害浮遊物質除去を可能として、特にマンション等の規格閉居住での生活環境改善に効果がある。しかも、装置収納部は、棚板で収納空間を複数に区画して、収納扉には棚板に載置した空気清浄装置の吹出口に対向する位置に間隙を設け、さらに空気清浄装置の上部と前部を覆う共に前部に空気清浄装置の吹出口から吹き出す空気の吹出流路が形成された覆板とを備えることで、収納扉の間隙および覆板を介して空気清浄装置の前部しか見えないため、デザイン性を向上することができる。更には、居住空間のサイズや間取りの変化に応じて空気清浄装置の大きさが変わる際には、収納扉の間隙の大きさはそのままで、覆板の大きさを対応して変更することによりデザイン性を維持しつつ空気清浄装置の吹出流路及び吸気流路を機能的に有効に確保することができる。
また、空気清浄装置は、装置収納部の位置関係から吹出口からの空気が上方から下方に向かって玄関ホール空間に吹き降ろすため、外出から帰宅した住人の頭部から肩の上半身部分に集中して清浄空気が吹き付けられて、住人に最も多く付着した浮遊物質を吹き飛ばし、特に閉空間の玄関ホールに浮遊した浮遊物質は居住空間に散逸することなしに玄関ホールという密閉空間において吸気流路を介して効率よく吸気し、少なくとも除去或いは低減することができる効果がある。
かかる装置収納部の構造としたことにより空気清浄装置を清掃する際には、覆板を取外すだけで、同装置を設置状態のまま移動せずに清掃を行うことができる。
【００１３】
請求項２の発明によれば、覆板の前部に吹出流路及び吸気流路を設けることで、空気清浄装置から吹き出す空気による吹出気流と吸い込みによる吸気気流との相乗機能により玄関ホール空間に乱気流を生起して、住人に付着した浮遊物質の剥離現象を生起し、住人衣服に付着した有害粒子を吹き飛ばし一方吸気機能により効率よく吸気することができ、有害粒子の除去と散逸防止と狭小空間での有害粒子の吸引排除とを相乗的にかつ効率的に行うことができる。
【００１４】
請求項３の発明によれば、覆板の吹出流路の開口面積を空気清浄装置の吹出口の開口面積より大きく形成することで、覆板の前部の１つの開口が吹出流路の他に吸気流路を兼ね備えることができ、空気清浄装置から吹き出す空気による吹出気流と吸い込みによる吸気気流による乱流を生起して浮遊物質を効率よく集塵する効果がある。
【００１５】
請求項４の発明によれば、覆板の前部に複数の吸気流路を設けることで、吸気領域が広くなって玄関ホール空間の浮遊物質を空気清浄装置に効率よく集気することができる。
【００１６】
請求項５の発明によれば、玄関ホールにカーテンを吊り下げて浄化空間と非浄化空間を構成することでより小さな空間とした浄化空間の浮遊物質を空気清浄装置により吸気して有害浮遊物質の集中する空間のみ集中して除去作業を行い短い時間で浮遊物質の除去或いは低減を行うことができる効果がある。
【図面の簡単な説明】
【００１７】
【図１】玄関構造を示す斜視図。
【図２】玄関構造を示す正面図。
【図３】マンションの間取りを示す平面図。
【図４】（ａ）空気清浄装置を示す斜視図。（ｂ）上部棚板上の空気清浄装置と覆体とを示す分解斜視図。
【図５】（ａ）空気清浄装置の吸気流路及び吹出流路を示す斜視図。（ｂ）空気清浄装置の吸気流路を示す平面図。
【図６】（ａ）装置収納部に収納した空気清浄装置を示す正面図。（ｂ）図６（ａ）の断面図。
【図７】玄関ホールにおける空気清浄装置の吸気流路及び吹出流路を示す正面図。
【図８】他の覆体を示す斜視図。
【図９】覆体の変形例１と空気清浄装置の吸気流路及び吹出流路を示す斜視図。。
【図１０】（ａ）覆体の変形例１と装置収納部に収納した空気清浄装置を示す正面図。（ｂ）図１０（ａ）の断面図。
【図１１】空気清浄装置を示すブロック図。
【図１２】玄関ホールにおける浄化空間と非浄化空間とを示す平面図。
【図１３】（ａ）覆体と装置収納部に収納した大型空気清浄装置を示す正面図。（ｂ）図１３（ａ）の断面図。
【図１４】（ａ）覆体の変形例２を示す斜視図。（ｂ）覆体の変形例２と装置収納部に収納した空気清浄装置を示す断面図。（ｃ）図１４（ｂ）の平面図。
【図１５】（ａ）覆体の変形例３を示す側面断面図。（ｂ）覆体の変形例３の使用例１を示す側面断面図。（ｃ）覆体の変形例３の使用例２を示す側面断面図。
【図１６】玄関ホールにおける他の装置収納部を示す断面図
【図１７】身長感知センサーと空気清浄装置と装置収納部を示すブロック図。
【図１８】身長感知センサーと空気清浄装置との制御状況を示すフローチャート。
【図１９】身長感知センサーと空気清浄装置との他の制御状況を示すフローチャート。
【図２０】玄関ホールの他の天井構造を示す断面図。
【発明を実施するための形態】
【００１８】
本実施形態の玄関構造は、玄関扉と天井部と床部と左右間仕切壁と内扉により構成した玄関ホールに空気清浄装置を収納した装置収納部を設けた玄関構造であって、装置収納部は、玄関ホールの上部位置に配設し、収納空間を複数に区画する棚板と、空気清浄装置の吹出口に対向する位置に間隙を設けた収納扉と、空気清浄装置の上部と前部を覆う共に前部に空気清浄装置の吹出口から吹き出す空気の吹出流路を設けた覆板とより構成し、しかも、収納部間の空気清浄装置は、吹出口からの空気が玄関ホール空間に上方から吹き降ろすように装置収納部に収納すると共に、覆板には空気清浄装置の吸気口に流通する空気の吸気流路を形成した。
【００１９】
また、覆板の前部に吹出流路及び吸気流路を設けたことを特徴とする。
【００２０】
さらに、覆板の吹出流路の開口面積は空気清浄装置の吹出口の開口面積より大としたことを特徴とする。
【００２１】
さらにまた、覆板の前部に複数の吸気流路を設けたことを特徴とする。
【００２２】
また、玄関ホールにカーテンを吊り下げて浄化空間と非浄化空間を区画することを特徴とする。
【００２３】
以下に、本発明に好適な実施形態について図面に基づいて説明する。
図１は玄関構造を示す斜視図、図２は玄関構造を示す正面図、図３はマンションの間取りを示す平面図、図４（ａ）は空気清浄装置を示す斜視図、図４（ｂ）は上部棚板上の空気清浄装置と覆体とを示す分解斜視図、図５（ａ）は空気清浄装置の吸気流路及び吹出流路を示す斜視図、図５（ｂ）空気清浄装置の吸気流路を示す平面図、図６（ａ）は装置収納部に収納した空気清浄装置を示す正面図、図６（ｂ）は図６（ａ）の断面図、図７は玄関ホールにおける空気清浄装置の吸気流路及び吹出流路を示す正面図である。
【００２４】
図１から図３に示すように、玄関構造Ｋは、マンション等の玄関Ａの玄関扉Ｂと居室Ｆ等の室内を仕切る室内扉Ｇとの間に設けた玄関ホールＨに靴や傘等を収納する装置収納部１０を備えている。
【００２５】
玄関扉Ｂは、玄関扉枠Ｂ１に外開きに設置され、玄関Ａと居室Ｆとをつなぐ通路Ｄを設けて、通路Ｄと居室Ｆとを仕切る室内扉Ｇが室内扉枠Ｇ１に開閉自在の設置されている。さらに、扉内側玄関Ａには玄関土間Ｃと上り框Ｃ１を形成している。
玄関ホールＨは、玄関扉Ｂと天井部Ｉと通路Ｄの床部Ｅと前後左右間仕切壁Ｊ，Ｊ，Ｊ，Ｊと室内扉Ｇにより閉空間となるように構成し、後述する空気清浄装置３０による空気清浄機能が効果的に作用するようにしている。
【００２６】
玄関扉内側の玄関土間Ｃには、前開扉の装置収納部１０を一方の間仕切壁Ｊに配設している。装置収納部１０の底部２４と玄関土間Ｃとの間には、靴等の収納スペースＣ２が設けられている。
【００２７】
［装置収納部］
図２に示すように、装置収納部１０は、前部開口した箱型形状の収納本体１１に観音開きの収納扉１２，１３を上下２段にそれぞれ設けており、収納本体１１の収納空間は、複数の棚板１５，・・，１５にて区画されている。
上収納扉１２と下収納扉１３との間には、所定間隔の間隙１４を設けており、間隙１４には後述する空気清浄装置３０の吹出口３２が位置するようにしている。この間隙１４の面積は、空気清浄装置３０の吹出口３２の開口面積と同じ或いはそれより大きい面積である。間隙１４の面積を大きくすることで吹出流路と吸気流路を構成できる。
【００２８】
図２及び図４に示すように、収納空間の複数の区画棚板１５のうち上部棚板１７には空気清浄装置３０を載置している。
【００２９】
［覆板の構造］
図４及び図５に示すように、空気清浄装置３０は、その上部と前部を略Ｌ字に組んだ覆板１８で覆われており、覆板１８の天板２２上に靴などを収納しつつ、空気清浄装置３０上部の吸気口３３の清掃を行う場合には収納本体１１から覆板１８を脱着自在とした構成としている。さらに、覆板１８の前板１９には、空気清浄装置３０の吹出口３２に対向する部分を略四角形状に切欠いて切欠部１９ａを形成しており、切欠部１９ａから空気清浄装置３０で浄化した空気を通気する吹出流路を構成している。
【００３０】
図５から図７に示すように、切欠部１９ａの面積（開口面積）は、空気清浄装置３０の吹出口３２の開口面積より大きくすることにより、空気清浄装置３０の吸気口３３に流入する空気の吸気流路を十分に確保でき、すなわち、玄関ホールＨ空間上方の空気を吸気することができる。切欠部１９ａには、空気清浄装置３０が稼働することで吹出流路と吸気流路が形成され、玄関ホールＨ空間には吹出流路を通過する空気によりエアーカーテンが形成され、エアーカーテンより上方の空間に浮遊している浮遊物質を含む空気を吸気流路を介して空気清浄装置３０に吸気することができる。
【００３１】
また、収納本体１１の上部棚板１７に載置した空気清浄装置３０は、吹出口３２からの空気を玄関ホールＨ空間に吹き降ろして、外出先から帰宅した住人には空気が吹き付けられ、住人に付着した浮遊物質が吹き飛ばされ、一方の重い浮遊物質は落下し、他方の軽い浮遊物質は吹出気流が間仕切壁に吹き付けられて生じる上昇気流に乗って舞い上がり、さらに、この上昇気流と切欠部１９ａの周囲において生じる吸気気流からなる乱流によって浮遊物質が切欠部１９ａにスムーズに吸引されて空気清浄装置３０の吸気口３３に吸い込まれる。すなわち、閉空間の玄関ホールＨに浮遊した浮遊物質は、吹出気流と吸込気流との相乗作用により覆板１８の切欠部１９ａに形成した吸気流路を介して空気清浄装置３０の吸気口３３に効率よく吸気することができる。
さらに、吹出気流と吸込気流との相乗作用を向上させるために、図２０に示すように傾斜天井Ｉ’の構成とする。空気清浄装置３０は、吹出口３２からの空気を玄関ホールＨ空間に吹き降ろして、外出先から帰宅した住人には空気が吹き付けられ、住人に付着した浮遊物質が吹き飛ばされ、一方の重い浮遊物質は落下し、他方の軽い浮遊物質は吹出気流が間仕切壁Ｊに吹き付けられて生じる上昇気流に乗って舞い上がり、傾斜天井Ｉ’に沿って覆板１８の切欠部１９ａから吸引されて空気清浄装置３０の吸気口３３に吸い込まれる。
かかる傾斜天井とすることにより、軽い浮遊物質が傾斜天井Ｉ’に沿って斜めにのぼり、所定距離を昇ると自然降下して覆板１８の切欠部１９ａに降下吸引されることから、吹出気流と吸込気流とによる回流を生起することができる。特に上方の浮遊物質を効果的に低減することが可能となる。
なお、傾斜天井としたが天井に別途浮遊物質反射板を傾斜して配設するようにしてもよい。
【００３２】
また、図８に示すように、覆板１８の前板１９の縁部には、断面かまぼこ形状の密着体１９ｂを配設しており、密着体１９ｂはシリコン素材や弾性部材で構成している。上部棚板１７に覆板１８を載置すると前板１９の密着体１９ｂが上部棚板１７に密着した状態となり、空気清浄装置３０の吸気流路は切欠部１９ａにのみ構成されるため、覆板１８の前板１９の縁部には、吸気流路による埃が堆積することがなくなり、掃除の回数を軽減することができる。
【００３３】
［穿孔付き覆板の構造］
図９及び図１０に示すように、覆板１８の吸気流路は、前板１９の切欠部１９ａ以外に設けるようにしてもよい。例えば、長孔や複数の丸孔等の穿孔２１を前板１９に穿設して吸気流路を構成する。覆板１８の前板１９の幅員方向に複数の穿孔２１を穿設することにより前板１９の空間に幅広い吸気領域を形成して、吹出流路より上方空間でかつ吸気領域に浮遊している浮遊物質を複数の穿孔２１を介して空気清浄装置の吸気口３３に吸引することができる。
【００３４】
図２に示すように、収納本体１１の底部２４には、照明装置２５を配設して、玄関土間Ｃを間接的に照らすようにしている。
【００３５】
［空気清浄装置の構造］
図４（ａ）に示すように、空気清浄装置３０は、本体ケース３１の上部に玄関ホールＨ空間の空気を吸入する吸気口３３を設け、本体ケース３１の前部に送風のための吹出口３２や風向きを上下左右に変更する縦ルーバ３４や横ルーバ３５を設け、さらに同清浄装置３０を始動停止する運転スイッチ３６やリモートコントローラ４１（図１１参照）からの信号を受信する受信部３７を設けている。
また、図１１に示すように、空気清浄装置３０は、空気中の水分子を電気的に分解して水素イオンと酸素イオンを生成するイオン生成部４０や送風ファン３８やイオン生成部４０および送風ファン３８等を制御する制御部３９を備えている。また、制御部３９には、各種制御を行うためのプログラムを記憶する記憶部を備えている。イオン生成部４０が生成するイオンは、浮遊物質に付着しているウイルスの作用を抑えたり、カビ菌を除菌したりするように機能する。さらに、浮遊カビ菌を除菌したり、浮遊菌の作用を抑えたり、付着カビ菌の増殖を抑えたり、ダニのふん死がいの浮遊アレル物質の増殖を抑えたり、タバコの付着臭と浮遊ニオイ原因菌の作用を抑えたり、静電気を抑え、ホコリなどの付着を抑える効果がある。
【００３６】
空気清浄装置３０の運転モードには、強弱および標準の３種類のモードを備え、粒子状物質の量の室内環境の変化に応じて変えることができる。例えば、弱モードは、風量０．７ｍ３／分であり、標準モードは、風量１．３ｍ３／分であり、強モードは、風量１．６ｍ３／分である。また、運転モードには、後述する帰宅した住人を感知しつつその身長に応じた身長感知センサーＳ１，Ｓ２，Ｓ３からの信号に基づいて、自動運転する自動運転モードを備えるようにしている。
夜間においては、弱モードで運転することで静寂な空間を保つことができる。玄関ホールＨ空間に粒子状物質等の浮遊量が多いときには強モードにて運転し、浮遊量を短い時間で低減することができる。
また、空気清浄装置３０は、２４時間連続運転することにより浮遊物質に付着している細菌やカビの抑制を効果的に行うことができる。
【００３７】
さらに、図２及び図１２に示すように、玄関ホールＨにおいて、天井部ＩにカーテンＬを吊り下げて、空気清浄装置３０による空気浄化を行う浄化空間Ｍ１と非浄化空間Ｍ２に分けるようにしている。浄化空間Ｍ１は、玄関扉Ｂと通路Ｄ中途部とカーテンＬと左右間仕切壁Ｊ，Ｊで形成した空間としている。装置収納部１０に設けた空気清浄装置３０は、狭い浄化空間の空気を短時間で浄化することができ、例えば、玄関特有の臭いを浄化する効果が高くなる。
【００３８】
［覆板の変形例］
また、図１３に示すように、空気清浄装置３０の大きさが変わる際に、収納本体１１の覆板１８は、そのまま大きさで切欠部１９ａの高さＸ２を広げることで、収納扉１２，１３の間隙１４の大きさは変更することなく見た目を維持しつつ空気清浄装置３０の吹出流路及び吸気流路を確保することができる。例えば、空気清浄装置３０’の大きさが高さ方向において大きい場合には、間隙１４の高さを変更せず、覆板１８の前板１９の切欠部１９ａの高さＸ２を高くすることで、デザイン性を維持し、収納本体１１の大きさを変更せず使用することができる。
【００３９】
さらに、図１４に示すように、覆板１８の天板２２の裏面に吸気の流れを整流する板状の吸気用整流体２３を複数配設するようにしている。覆板１８の前板１９に穿設した各穿孔２１の近傍に各吸気用整流体２３を並設し、前板１９の穿孔２１を通過した吸気が吸気用整流体２３によって整流されて空気清浄装置３０の吸気口３３に流れ込む。
覆板１８の天板２２に大中小の断面視１／４円弧形状の吸気用整流体２３をそれぞれ配設することにより、吸気の流れを整えると共に吸気時に生じる音を低減することができる。さらに、吸気用整流体２３は、吸気気流による振動を低減するためゴムやシリコン等の弾性材料で構成するようにしてもよい。
【００４０】
さらに、図１５に示すように、覆板１８には前後板１９，２０を設けてその前後板１９，２０に異なる大きさ切欠部１９ａ，２０ａを設けるようにしてもよい。すなわち、小型の空気清浄装置を使用する場合には、小さな切欠部１９ａを形成した前板１９を使用し、大型の空気清浄装置を使用する場合には、覆板１８を前後反転して大きな切欠部２０ａを形成した後板２０を使用することができる。
【００４１】
かかる覆板１８の前後の板１９，２０に大小の切欠部１９ａ，２０ａのいずれかを形成する構成とすることで、上下の収納扉１２，１３の間に設けた間隙１４の大きさを変更することなく、さまざまな大きさの空気清浄装置３０に対応して、デザイン的な見た目を維持することができる。
【００４２】
さらに、図１６に示すように、装置収納部１０内の空気を清浄化する場合には、収納本体１１の各棚板１５に吸気孔１６をそれぞれ穿設し、棚板１５の吸気孔１６を通して収納本体１１全体の空気を空気清浄装置３０に吸気して、収納本体１１の空気の循環を図り浄化することができる。また、天板２２にも吸気孔２２ａを穿設することで、収納本体１１の上段空間の空気を吸気して浄化することができる。また、吸気孔１６や吸気孔２２ａを複数形成してもよい。かかる孔を複数形成することにより空気の流路を複数設けることができ、収納本体の浄化を向上できると共に、玄関空間の下方空間の浄化を効果的に行うことができる。さらに、収納本体１１の背板や側板にも空気を吸気する穿設孔を形成するようにしてもよい。かかる背板や側板にも穿設孔を形成することにより、玄関空間の空気をさまざまな角度から収納本体１１内に吸気することができる。
【００４３】
［各種センサー及び空気清浄装置の制御方法１］
さらに、図１７に示すように、空気清浄装置３０の自動運転を可能とする各種センサーやセンサー制御部４２を備えるようにしている。
すなわち、住人の身長に応じて、空気清浄装置３０から吹き降ろす角度を変更するための身長感知センサーＳ１，Ｓ２，Ｓ３を設けている。
装置収納部１０の下収納扉１３には、各身長に応じた身長感知センサーＳ１，Ｓ２，Ｓ３を設ける。身長感知センサーＳ１〜Ｓ３は、例えば、土間から高さが１５０ｃｍと１２０ｃｍと８０ｃｍの３つの高中低の高さに設けており、各身長感知センサーＳ１，Ｓ２，Ｓ３はセンサー制御部４２に電気的に接続される。
【００４４】
身長が１５０ｃｍ以上の住人が玄関Ａに進入した際に、センサー制御部４２は、高中低の身長感知センサーＳ１，Ｓ２，Ｓ３から３種の信号を受信し、空気清浄装置３０にセンサーＳ１〜Ｓ３が全てオンである信号を送信する。
【００４５】
図１８に示すように、空気清浄装置３０の制御部３９は、身長感知センサーＳ１，Ｓ２，Ｓ３の信号から信号を受信して（ステップ１、ＹＥＳ）、身長感知センサーＳ１〜Ｓ３が全てオンと判断する（ステップ２、ＹＥＳ）。次に、制御部３９は、縦ルーバ３４の角度を水平方向から下方に３０度〜７５度の振り幅で制御し（ステップ６）、風量を強モードに設定して送風しつつ送風する時間を３分間としたタイマーを設定する（ステップ７）。
【００４６】
次に、制御部３９は、タイマーが３分間経過したら（ステップ８、ＹＥＳ）、風量を弱モードに変更しつつ縦ルーバ３４の振り幅の角度を水平に戻す制御を行う（ステップ９）。
【００４７】
さらに、１２０ｃｍ以上１５０ｃｍ未満の身長の住人が玄関Ａに進入した際には、センサー制御部４２は、中低の身長感知センサーＳ２，Ｓ３から２種の信号を受信し、空気清浄装置３０にセンサーＳ２〜Ｓ３がオンである信号を送信する。
【００４８】
上記ステップ１を経てステップ２がＮＯとなり、制御部３９は、身長感知センサーＳ２〜Ｓ３がオンと判断する（ステップ３、ＹＥＳ）。次に、制御部３９は、縦ルーバの角度を水平方向から下方に４５度〜７５度の振り幅で制御し（ステップ５）、風量を強モードに設定して送風しつつ送風する時間を３分間としたタイマーを設定する（ステップ７）。上述したステップ８、ステップ９の処理を行う。
【００４９】
さらにまた、８０ｃｍ以上１２０ｃｍ未満の身長の住人が玄関Ａに進入した際には、センサー制御部４２は、低の身長感知センサーＳ３から信号を受信し、空気清浄装置３０にセンサーＳ３がオンである信号を送信する。
【００５０】
上記ステップ１、ステップ２を経てステップ３がＮＯとなり、制御部３９は、身長感知センサーＳ３のみがオンと判断する（ステップ３、ＮＯ）。次に、制御部３９は、縦ルーバ３４の角度を水平方向から下方に６０度〜７５度の振り幅で制御し（ステップ４）、風量を強モードに設定しつつ３分間のタイマーを設定する（ステップ７）。上述したステップ８、ステップ９の処理を行う。
【００５１】
このように吹き出し角度を変更制御することで、空気清浄装置３０から吹き出す空気が住人の顔から上半身に重点的に吹き付けられて、付着粒子を吹き飛ばしつつ浮遊した粒子とイオン生成部４０で生成したイオンとが結合して、細菌やカビ等を抑制するように機能する効果がある。
【００５２】
［各種センサー及び空気清浄装置の制御方法２］
さらに、自動運転モードに風量の強弱設定の機能を備えるようにしている。すなわち、図１９に示すように、空気清浄装置３０の制御部３９は、各身長感知センサーＳ１〜Ｓ３からの信号を受信し（ステップ１１、ＹＥＳ）、すべての身長感知センサーＳ１〜Ｓ３の信号がオンの場合（ステップ１２、ＹＥＳ）には、縦ルーバ角度３０度〜７５度の振り幅で制御する（ステップ１６）。
【００５３】
次に、制御部３９は、カウンタを「１」に更新し（ステップ１７）、カウンタ「１」と判断すると（ステップ１８、ＹＥＳ）、風量を強モードに設定して送風する（ステップ２２）。次に、制御部３９は、送風する時間を３分間としたタイマーを設定する（ステップ２３）。
【００５４】
次に、制御部３９は、タイマーが３分間経過したら（ステップ２４、ＹＥＳ）、各身長感知センサーＳ１〜Ｓ３からの信号を受信したか否かを判断し、センサーＳ１〜Ｓ３の信号を受信した場合（ステップ２５、ＹＥＳ）、ステップ１２の処理に戻す。
【００５５】
すべての身長感知センサーＳ１〜Ｓ３の信号がオンの場合（ステップ１２、ＹＥＳ）には、縦ルーバ角度３０度〜７５度の振り幅で制御する（ステップ１６）。
次に、制御部３９は、カウンタを「２」に更新し（ステップ１７）、カウンタ「１」でないと判断すると（ステップ１８、ＮＯ）、次に、カウンタ「２」否かを判断し、カウンタ「２」の場合（ステップ１９、ＹＥＳ）、風量を中モードに変更設定して送風する（ステップ２１）。
【００５６】
次に、制御部３９は、ステップ２３、ステップ２４の処理を行い、身長感知センサーからの入力信号がないと判断すると（ステップ２５、ＮＯ）、縦ルーバ３４の振り幅の角度を水平に戻しつつ風量を弱モードに変更する制御を行う（ステップ２６）。その後、カウンタ「０」とするステップ１０に戻す処理を行う。
【００５７】
ステップ２５において、センサー入力信号がある場合には、ステップ１２に戻り、ステップ１６、ステップ１７のカウンタ更新を行いカウンタ「３」とし、ステップ１８、ステップ１９の処理を経て、制御部３９は風量を弱モードに変更する処理を行う。以降は上記同様に各ステップの処理を行う。
【００５８】
このように吹き出し角度と段階的に風量を弱くする設定を組み合せることにより、住人に吹き付けられる空気圧が軽減されて、快適に使用することができ、電気の使用量を軽減できる。また、付着した付着粒子を吹き飛ばしつつ浮遊した粒子とイオン生成部で生成したイオンとが結合して、細菌やカビ等を抑制するように機能することができる。
【００５９】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００６０】
Ｋ  玄関構造
Ｈ  玄関ホール
Ａ  玄関
Ｂ    玄関扉
Ｂ１    玄関扉枠
Ｃ    玄関土間
Ｃ１      上り框
Ｃ２    収納スペース
Ｄ  通路
Ｅ    床部
Ｆ  居室
Ｇ    室内扉
Ｇ１    室内扉枠
Ｉ  天井部
Ｊ  間仕切壁
Ｌ  カーテン
Ｍ１    浄化空間
Ｍ２    非浄化空間
１０  装置収納部
１１    収納本体
１２    上収納扉
１３    下収納扉
１４    間隙
１５    区画棚板
１６      吸気孔
１７    上部棚板
１８    覆板
１９      前板
１９ａ      切欠部
１９ｂ    密着体
２０      後板
２０ａ      切欠部
２１      穿孔
２２    天板
２３        吸気用整流体
２４    底部
２５    照明装置
３０  空気清浄装置
３１    本体ケース
３２      吹出口
３３      吸気口
３４      縦ルーバ
３５      横ルーバ
３６      運転スイッチ
３７      受信部
３８    送風ファン
３９    制御部
４０    イオン生成部
４１    リモートコントローラ
Ｓ１，Ｓ２，Ｓ３  身長感知センサー
４２  センサー制御部
【図１】
2017115319.tif 000003
【図２】
2017115319.tif 000004
【図３】
2017115319.tif 000005
【図４】
2017115319.tif 000006
【図５】
2017115319.tif 000007
【図６】
2017115319.tif 000008
【図７】
2017115319.tif 000009
【図８】
2017115319.tif 000010
【図９】
2017115319.tif 000011
【図１０】
2017115319.tif 000012
【図１１】
2017115319.tif 000013
【図１２】
2017115319.tif 000014
【図１３】
2017115319.tif 000015
【図１４】
2017115319.tif 000016
【図１５】
2017115319.tif 000017
【図１６】
2017115319.tif 000018
【図１７】
2017115319.tif 000019
【図１８】
2017115319.tif 000020
【図１９】
2017115319.tif 000021
【図２０】
2017115319.tif 000022